(57)【要約】コンタクトレンズは、中央区域及び周辺区域を含む。中央区域は、中心から中央中間縁まで半径方向に延び、高周囲光条件に付されたとき、装用者の縮小した瞳孔の半径に合致する半径を有する。中央区域はまた、中央区域の全域で一定の第一の屈折力を有する。周辺区域は、中央中間縁から外縁まで半径方向に延び、装用者の散大した瞳孔に合致する半径を有する。周辺区域は、中間縁では第一の矯正力に等しく、外縁における、第一の屈折率とは異なる第二の屈折力まで半径方向に増大する屈折力を有する。コンタクトレンズはまた、外縁から装用者の角膜の半径に合致する最外半径まで半径方向に延びる非光学区域を含む。
2004506933.tif 000002
【特許請求の範囲】
【請求項１】
（ａ）中心から中央中間縁まで半径方向に延びる中央区域であって、高周囲光条件に付されたとき、装用者の縮小した瞳孔の半径に合致する半径を有し、全域で一定の第一の屈折力を有する中央区域と、
（ｂ）前記中央中間縁から外縁まで半径方向に延び、装用者の散大した瞳孔の半径に合致する半径を有する周辺区域であって、前記中間縁では前記第一の屈折力に等しく、前記外縁における、前記第一の屈折力とは異なる第二の屈折力に向かって半径方向に漸進的に変化する屈折力を有する周辺区域と
を含むコンタクトレンズ。
【請求項２】
前記第一の屈折力がゼロジオプトリーである、請求項１記載のコンタクトレンズ。
【請求項３】
前記第一の屈折力が、装用者の眼の球面収差を矯正するのに十分な屈折力である、請求項１記載のコンタクトレンズ。
【請求項４】
前記外縁から最外半径まで半径方向に延びる非光学区域をさらに含む、請求項１記載のコンタクトレンズ。
【請求項５】
前記最外半径が少なくとも装用者の角膜の半径に合致する、請求項４記載のコンタクトレンズ。
【請求項６】
前記中央区域の半径が３ｍｍを超えない、請求項１記載のコンタクトレンズ。
【請求項７】
前記中央区域の半径が１ｍｍ〜２ｍｍである、請求項６記載のコンタクトレンズ。
【請求項８】
前記周辺区域が、０．５ｍｍ〜６ｍｍの半径を有する、請求項１記載のコンタクトレンズ。
【請求項９】
前記第二の矯正力が、前記第一の矯正力−０．６ジオプトリー〜前記第一の矯正力−１．３ジオプトリーである、請求項１記載のコンタクトレンズ。
【請求項１０】
（ａ）中心から中央中間縁まで半径方向に延びる中央区域であって、高周囲光条件に付されたとき、装用者の縮小した瞳孔の半径に合致する半径を有し、全域で一定の第一の屈折力を有する中央区域と、
（ｂ）前記中央中間縁から外縁まで半径方向に延び、装用者の散大した瞳孔の半径に合致する半径を有する周辺区域であって、前記中間縁では前記第一の屈折力に等しく、前記外縁における第二の屈折力へと半径方向に増大する屈折力を有する周辺区域と、
（ｃ）前記外縁から装用者の角膜の半径に合致する最外半径まで半径方向に延びる非光学区域と
を含むレンズ。
【請求項１１】
前記第二の矯正力が、前記第一の矯正力−０．６ジオプトリー〜前記第一の矯正力−１．３ジオプトリーである、請求項１０記載のレンズ。
【請求項１２】
レンズが、コンタクトレンズを含む、請求項１０記載のレンズ。
【発明の詳細な説明】
【０００１】
発明の分野
本発明は、光学部品、より具体的には光学レンズに関する。
【０００２】
従来技術の説明
図１Ａに示す人の眼１００は、角膜１０２、瞳孔１０６ａとして知られる開口を形成する虹彩１０４及び光線が合焦する網膜１０８を含む。眼１００が低周囲光条件に付されると、虹彩１０４が散大し、その結果、大きな開口を有する瞳孔１０６ａが生じる。角膜１０２に球面収差がないならば、眼１００に入る平行光線は網膜１０８の１点で合焦する。他方、図１Ｂに示すように、角膜１０２が球面収差を示すならば、光線は網膜１０８の一定区域で合焦する。
【０００３】
図１Ｃに示すように、角膜球面収差のない眼１００が物体１１０を視ると、その物体１１０沿いの各点（たとえば点Ａ、Ｂ）からの光が網膜１０８上の対応する点（たとえば点Ａ′、Ｂ′）に合焦し、鮮明な像を生じさせる。図１Ｄに示すように、眼１００が球面収差を有するとき、この状況は変化する。物体１１０上の各１点（たとえば点Ａ）からの光はいくつかの点（たとえば点Ａ′、Ａ″、Ａ″′）に送られて、物体１１０を不鮮明に見えさせる。
【０００４】
図１Ｅに示すように、眼１００が高周囲光条件に付されると、この状況は変化する。虹彩１０４が収縮し、その結果、瞳孔１０６ｅは小さな開口を有するようになる。角膜１０２を通過する物体１１０からの光線は縮小した瞳孔１０６ａによって強要されるため、網膜１０８上に正確に合焦しやすくなる。したがって、物体１１０はピントが合って見える。
【０００５】
したがって、装用者の眼が低周囲光条件に付されるときさらなる矯正を装用者に提供するが、装用者の眼が高周囲光条件に付されるときには比較的少ない矯正を提供するレンズの必要性がある。
【０００６】
発明の概要
従来技術の欠点は、一態様では、中央区域及び周辺区域を含むコンタクトレンズである本発明によって解消される。中央区域は、中心から中央中間縁まで半径方向に延び、高周囲光条件に付されたときの装用者の縮小した瞳孔の半径に合致する半径を有する。中央区域はまた、中央区域の全域で一定の第一の屈折力を有する。周辺区域は、中央中間縁から外縁まで半径方向に延びる。周辺区域は、中間縁では第一の屈折力に等しく、外縁における、第一の屈折力とは異なる第二の屈折力に向かって半径方向に漸進的に変化する屈折力を有する。
【０００７】
したがって、本発明は、一つの態様で、
（ａ）中心から中央中間縁まで半径方向に延びる中央区域であって、高周囲光条件に付されたとき、装用者の縮小した瞳孔の半径に合致する半径を有し、全域で一定の第一の屈折力を有する中央区域と、
（ｂ）中央中間縁から外縁まで半径方向に延び、装用者の散大した瞳孔の半径に合致する半径を有する周辺区域であって、中間縁では前記第一の屈折力に等しく、外縁における、第一の屈折力とは異なる第二の屈折力に向かって半径方向に漸進的に変化する屈折力を有する周辺区域と
を含むコンタクトレンズに関する。
【０００８】
もう一つの態様で、本発明は、
（ａ）中心から中央中間縁まで半径方向に延びる中央区域であって、高周囲光条件に付されたとき、装用者の縮小した瞳孔の半径に合致する半径を有し、全域で一定の第一の屈折力を有する中央区域と、
（ｂ）中央中間縁から外縁まで半径方向に延び、装用者の散大した瞳孔の半径に合致する半径を有する周辺区域であって、中間縁では第一の屈折力に等しく、外縁における第二の屈折力へと半径方向に増大する屈折力を有する周辺区域と、
（ｃ）外縁から装用者の角膜の半径に合致する最外半径まで半径方向に延びる非光学区域と
を含むレンズに関する。
【０００９】
本発明のこれらの態様及び他の態様は、好ましい実施態様の以下の説明を図面と合わせて理解することから明らかになるであろう。当業者には自明であるように、開示の新規な概念の本質及び範囲を逸脱することなく、本発明の多くの変形及び改変を実現することができる。
【００１０】
発明の詳細な説明
以下、本発明の好ましい実施態様を詳細に記載する。図面を参照すると、全図を通じて同様な数字が同様な部品を表す。本明細書及び請求の範囲を通じて使用されるように、以下の語は、文脈が明らかに別段の指示をしない限り、本明細書で明示的に関連する意味をとる。「ある一つの」及び「その」の意味は複数の参照を含み、「中」の意味は「中」及び「上」を含む。
【００１１】
図２Ａに示すように、本発明の一つの実施態様は、中央区域２３０及び周辺区域２２０を含むコンタクトレンズ２００である。中央区域２３０は、高周囲光条件に付されたとき、装用者の縮小した瞳孔２０６ａの半径に合致する半径を有する。虹彩２０４は高周囲光条件で瞳孔２０６ａを縮小させるため、中央区域２３０を通過する物体２１０からの光線は、縮小した瞳孔２０６ａによって強要され、そのため、さらなる矯正をほとんど受けずに合焦する。したがって、中央区域２３０は、ゼロジオプトリーに等しいか、レンズ２００が適用される眼にとっての正常距離矯正に等しい名目上の屈折力しか有しない。
【００１２】
他方、図２Ｂに示す周辺区域２２０は、眼が低周囲光条件に付されたとき、装用者の散大した瞳孔２０６ｂを覆うのに十分な大きさの半径を有する。物体２１０からの光線は、瞳孔２０６ｂが散大しているときにはあまり強要されないため、眼は通常、低光条件で物体２１０に合焦するとき緊張を受ける。したがって、周辺区域２２０は、周辺区域２２０が中央区域２３０から離れるにつれ徐々に増大する屈折力を含む。したがって、瞳孔２０６ｂがますます散大すると、増大した量の矯正が物体２１０からの光線に対して加えられ、それにより、物体のピントを合わせ、眼に対する緊張を軽減する。
【００１３】
図３に示すように、中央区域３３０は、中心３３２から中央中間縁３３４まで半径方向に延びている。周辺区域３２０は、中央中間縁３３４から外縁３２２まで延びている。通常、本発明のコンタクトレンズはまた、外縁３２２から最外半径３４４まで半径方向に延びる非光学区域３４０を含む。非光学区域３４０は、角膜を覆うために加えられる。非光学区域の半径は通常、レンズ装用者の角膜の半径に合致するように選択される。
【００１４】
レンズ表面の所与の点の中心からの半径の関数として、レンズに加えられる屈折力のグラフ４００を図４に示す。縮小した瞳孔が約２ｍｍの半径を有すると仮定する実施態様では、曲線４１０は、中央区域には矯正力が加えられず（ゼロジオプトリーの屈折力）、周辺区域が４ｍｍに拡大するとき約−０．７ジオプトリーまでの矯正力が加えられることを示す。曲線４１２及び４１４は、他の形状及びそれぞれのさらなる矯正力分布を示す。曲線４１２は、大部分の人々によって求められる平均化矯正を有する屈折力プロフィールに対応する。曲線４１０は、球面収差がほとんどない眼に適用され、曲線４１４は、平均よりも大きな球面収差をもつ眼に使用される。
【００１５】
本発明のレンズは、固有の球面収差を有しない眼の緊張を減らすことができる。曲線４１４にしたがって構成されるこのようなレンズでは、中央区域は、ゼロジオプトリーの一定の矯正力を有し、周辺区域は、中央区域に隣接するところでのゼロジオプトリーから外縁における−１．２ジオプトリーまで増大する矯正力を有するであろう。
【００１６】
眼が球面収差を有するとき、曲線４１４にしたがって構成されたレンズの中央区域は、球面収差を矯正するのに必要な正常距離視力矯正力に等しい矯正力を有するであろう。周辺区域は、中央区域に隣接するところでの正常距離視力矯正力から外縁における正常距離視力矯正力プラス約−１．２ジオプトリーまで増大する矯正力を有するであろう。
【００１７】
同様に、本発明は、乱視及び他の光学状態を矯正するために使用されるレンズに応用することもできる。さらには、本発明の使用はコンタクトレンズに限定されず、他のタイプのレンズ、たとえば眼内レンズ、人工角膜などとでも用いることができる。
【００１８】
レンズ製造の当業者によって容易に理解されるように、本発明のレンズは、多くの多焦点レンズ製造技術のほとんどどれを使用しても製造することができる。たとえば、本発明のコンタクトレンズは、マスタキャストを製造するための従来のコンタクトレンズ旋盤を使用して製造することもできる。レンズを製造するために使用される従来の材料のいずれを本発明のレンズに用いてもよい。
【００１９】
上記実施態様は例としてのみ示す。本発明を逸脱することなく本明細書で開示された具体的な実施態様から多くの変形をなしうるということが容易に理解されよう。したがって、本発明の範囲は、具体的に上記した実施態様に限定されるのではなく、請求の範囲によって決定される。
【図面の簡単な説明】
【図１Ａ】低周囲光条件で平行光線に対して合焦する、球面収差のない眼の従来技術の図である。
【図１Ｂ】低周囲光条件で平行光線に対して合焦する、球面収差のある眼の従来技術の図である。
【図１Ｃ】低周囲光条件で物体に対して合焦する、球面収差のない眼の従来技術の図である。
【図１Ｄ】低周囲光条件で物体に対して合焦する、球面収差のある眼の従来技術の図である。
【図１Ｅ】高周囲光条件で物体に対して合焦する眼の従来技術の図である。
【図２Ａ】高周囲光条件で物体に対して合焦する眼に用いられる本発明の図である。
【図２Ｂ】低周囲光条件で物体に対して合焦する眼に用いられる本発明の図である。
【図３】本発明の一つの実施態様の平面図である。
【図４】本発明による、半径が増大するときのコンタクトレンズに対する加算屈折力のグラフである。
【図１Ａ】
2004506933.tif 000003
【図１Ｂ】
2004506933.tif 000004
【図１Ｃ】
2004506933.tif 000005
【図１Ｄ】
2004506933.tif 000006
【図１Ｅ】
2004506933.tif 000007
【図２Ａ】
2004506933.tif 000008
【図２Ｂ】
2004506933.tif 000009
【図３】
2004506933.tif 000010
【図４】
2004506933.tif 000011
【国際公開パンフレット】
2004506933.tif 000012
2004506933.tif 000013
2004506933.tif 000014
2004506933.tif 000015
2004506933.tif 000016
2004506933.tif 000017
2004506933.tif 000018
2004506933.tif 000019
2004506933.tif 000020
2004506933.tif 000021
2004506933.tif 000022
2004506933.tif 000023
【国際公開パンフレット（コレクトバージョン）】
2004506933.tif 000024
2004506933.tif 000025
【国際公開パンフレット（コレクトバージョン）】
2004506933.tif 000026
2004506933.tif 000027
【国際調査報告】
2004506933.tif 000028
2004506933.tif 000029
2004506933.tif 000030